(57)【要約】【課題】グラニュール汚泥の流出を十分に抑制することができる嫌気性処理システム及び嫌気性処理方法を提供する。【解決手段】嫌気性処理システム１は、嫌気性汚泥が粒状化してなるグラニュール汚泥を収納し、導入された有機性廃水Ｗを上向きに流動させグラニュール汚泥と接触させることによって有機性廃水を嫌気性処理する嫌気性処理槽１２と、嫌気性処理槽１２から排出される処理水Ｗ１を導入し、処理水Ｗ１に含まれるグラニュール汚泥を分離して嫌気性処理槽１２に返送する沈殿槽７と、嫌気性処理槽１２と沈殿槽７とを接続し処理水Ｗ１を搬送する処理水搬送ラインＬ５を備え、処理水搬送ラインＬ５は、沈殿槽７に送られる処理水Ｗ１を落下させて移動させる処理水落下部５１と、処理水落下部５１を落下移動する処理水Ｗ１を衝突させる衝突部材５７と、を有する。【選択図】図２
2013220410.tif 000002
【特許請求の範囲】
【請求項１】
嫌気性汚泥が粒状化してなるグラニュール汚泥を収納し、導入された有機性廃水を上向きに流動させ前記グラニュール汚泥と接触させることによって前記有機性廃水を嫌気性処理する嫌気性処理槽と、
前記嫌気性処理槽から排出される処理水を導入し、前記処理水に含まれる前記グラニュール汚泥を分離して前記嫌気性処理槽に返送する汚泥分離槽と、
前記嫌気性処理槽と前記汚泥分離槽とを接続し前記処理水を搬送する処理水搬送路と、を備え、
前記処理水搬送路は、
前記汚泥分離槽に送られる前記処理水を落下させて移動させる処理水落下部と、
前記処理水落下部を落下移動する前記処理水を衝突させる衝突部材と、を有することを特徴とする嫌気性処理システム。
【請求項２】
前記衝突部材は、前記汚泥分離槽の内部に設けられることを特徴とする請求項１に記載の嫌気性処理システム。
【請求項３】
前記衝突部材は、網状の部材であることを特徴とする請求項１又は２の何れか１項に記載の嫌気性処理システム。
【請求項４】
前記有機性廃水を前記嫌気性処理槽の前段で処理する前段処理槽と、
前記嫌気性処理槽から排出される前記処理水の一部を循環水として前記処理槽に返送する循環水返送路と、を更に備え、
前記循環水返送路は、
前記循環水を落下させて移動させる循環水落下部と、
前記循環水落下部を落下した前記循環水を衝突させる第２の衝突部材と、を有することを特徴とする請求項１〜３の何れか１項に記載の嫌気性処理システム。
【請求項５】
前記汚泥分離槽には、
前記処理水に含まれる前記グラニュール汚泥と、前記衝突部材と、の衝突によって前記グラニュール汚泥から脱離されたガスを回収するガス回収手段が設けられていることを特徴とする請求項２に記載の嫌気性処理システム。
【請求項６】
嫌気性汚泥が粒状化してなるグラニュール汚泥を収納した嫌気性処理槽で、導入された有機性廃水を上向きに流動させ前記グラニュール汚泥と接触させることによって前記有機性廃水を嫌気性処理する嫌気性処理工程と、
前記嫌気性処理槽から排出される処理水を汚泥分離槽に導入し、前記処理水に含まれる前記グラニュール汚泥を分離して前記嫌気性処理槽に返送する汚泥分離工程と、
前記嫌気性処理槽と前記汚泥分離槽とを接続する処理水搬送路内において、前記汚泥分離槽に送られる前記処理水を落下させて移動させる処理水落下工程と、
前記処理水落下工程で落下移動する前記処理水を衝突部材に衝突させる処理水衝突工程と、を備えたことを特徴とする嫌気性処理方法。
【発明の詳細な説明】
【技術分野】
【０００１】
本発明は、嫌気性処理システム及び嫌気性処理方法に関するものである。
【背景技術】
【０００２】
有機物を含む有機性廃水の処理方法として、グラニュール状の嫌気性汚泥を用いたUASB（Upflow  Anaerobic  Sludge  Blanket）法やEGSB（Expanded  Granular  Sludge  Bed）法が知られている。これらの方法では、嫌気性処理装置に含まれる上向流式嫌気性処理槽において、高密度で沈降性のよいグラニュール状の嫌気性汚泥(以下、単に「グラニュール汚泥」とも称す)からなる層に、嫌気性処理槽の下部から上部に向かうように有機性廃水を通して有機性廃水を嫌気性処理する。
【０００３】
しかしながら、グラニュール汚泥による嫌気性処理にあっては、長期の連続運転やＢＯＤ負荷が十数ｋｇ／ｍ３／日以上といった高負荷処理を行うと、グラニュール汚泥が過度に大きくなり、その沈降性が低下する場合がある。沈降性が低下する主因は、グラニュール汚泥の内部にガスが溜まったり、グラニュール汚泥の表面にガスが付着することで、グラニュール汚泥の比重が小さくなることと考えられる。沈降性の低下したグラニュール汚泥は嫌気性処理槽内の水面に浮上し、処理水とともに嫌気性処理槽から流出する。これにより、嫌気性処理槽内のグラニュール汚泥の量が次第に減少して処理能力が低下する。嫌気性処理槽内のグラニュール汚泥の減少量が大きい場合には、新たにグラニュール汚泥を嫌気性処理槽内に追加しなければならない場合もある。
【０００４】
グラニュール汚泥に付着したガスを除去しようとする嫌気性処理システムとしては、例えば、特許文献１に記載のものがある。この嫌気性処理システムでは、反応槽（嫌気性処理槽）の排出部から、処理水とグラニュール汚泥との混合液がオーバーフローして集水部に移動する。排出部と集水部との間には数十ｃｍの高低差があり、混合液が排出部から集水部に落下するときの衝撃によって、グラニュール汚泥に付着した気泡を離脱させるようにしている。
【先行技術文献】
【特許文献】
【０００５】
【特許文献１】特許３４１９６８８号公報
【発明の概要】
【発明が解決しようとする課題】
【０００６】
しかしながら、特許文献１のシステムでは、落下の衝撃が小さく、グラニュール汚泥に伴う気泡を離脱させる効果が十分に得られない場合がある。この種の嫌気性処理システムでは、グラニュール汚泥の沈降性を維持しながら、グラニュール汚泥の系外への流出による減少量を十分に抑えることが望まれる。そこで、本発明は、グラニュール汚泥の流出を十分に抑制することができる嫌気性処理システム及び嫌気性処理方法を提供することを目的とする。
【課題を解決するための手段】
【０００７】
本発明の嫌気性処理システムは、嫌気性汚泥が粒状化してなるグラニュール汚泥を収納し、導入された有機性廃水を上向きに流動させグラニュール汚泥と接触させることによって有機性廃水を嫌気性処理する嫌気性処理槽と、嫌気性処理槽から排出される処理水を導入し、処理水に含まれるグラニュール汚泥を分離して嫌気性処理槽に返送する汚泥分離槽と、嫌気性処理槽と汚泥分離槽とを接続し処理水を搬送する処理水搬送路と、を備え、処理水搬送路は、汚泥分離槽に送られる処理水を落下させて移動させる処理水落下部と、処理水落下部を落下移動する処理水を衝突させる衝突部材と、を有することを特徴とする。
【０００８】
この嫌気性処理システムでは、嫌気性処理槽から排出される処理水が処理水搬送路を通じて汚泥分離槽に送られ、汚泥分離槽では処理水に含まれるグラニュール汚泥が分離されて嫌気性処理槽に返送される。ここで、処理水搬送路は、処理水を落下させて移動させる処理水落下部と、当該処理水落下部を落下移動する処理水を衝突させる衝突部材と、を有する。従って、処理水に含まれるグラニュール汚泥は、処理水と一緒に処理水落下部を落下移動し、衝突部材に衝突する。処理水搬送路は、嫌気性処理槽の外で当該嫌気性処理槽と汚泥分離槽とを接続するように設けられているので、処理水落下部を長く設定し処理水及びグラニュール汚泥の落下距離を長く設定することができる。従って、衝突部材に衝突するグラニュール汚泥に対し強い衝撃を与え、グラニュール汚泥を破砕することができる。そうすると、グラニュール汚泥の表面に付着した気泡ばかりでなく、内包した気泡もグラニュール汚泥から脱離させることができる。よって、気泡が十分に除去され沈降性が回復したグラニュール汚泥が、汚泥分離槽を経由して嫌気性処理槽に返送される。その結果、嫌気性処理槽内のグラニュール汚泥の沈降性が高く維持され、グラニュール汚泥の流出を十分に抑制することができる。
【０００９】
また、衝突部材は、汚泥分離槽の内部に設けられることとしてもよい。この場合、グラニュール汚泥から脱離したバイオガスの気泡が汚泥分離槽の内部に溜まるので、バイオガスの回収が容易である。また、衝突部材は、網状の部材であることとしてもよい。
【００１０】
また、有機性廃水を嫌気性処理槽の前段で処理する前段処理槽と、嫌気性処理槽から排出される処理水の一部を循環水として処理槽に返送する循環水返送路と、を更に備え、循環水返送路は、循環水を落下させて移動させる循環水落下部と、循環水落下部を落下した循環水を衝突させる第２の衝突部材と、を有することを特徴とする。
【００１１】
この構成によれば、処理水に含まれるグラニュール汚泥が第２の衝突部材によっても破砕され、沈降性を回復したグラニュール汚泥が、酸生成槽を経由して嫌気性処理槽に再び導入される。
【００１２】
また、汚泥分離槽には、処理水に含まれるグラニュール汚泥と、衝突部材と、の衝突によってグラニュール汚泥から脱離されたガスを回収するガス回収手段が設けられていることとしてもよい。
【００１３】
本発明の嫌気性処理方法は、嫌気性汚泥が粒状化してなるグラニュール汚泥を収納した嫌気性処理槽で、導入された有機性廃水を上向きに流動させグラニュール汚泥と接触させることによって有機性廃水を嫌気性処理する嫌気性処理工程と、嫌気性処理槽から排出される処理水を汚泥分離槽に導入し、処理水に含まれるグラニュール汚泥を分離して嫌気性処理槽に返送する汚泥分離工程と、嫌気性処理槽と汚泥分離槽とを接続する処理水搬送路内において、汚泥分離槽に送られる処理水を落下させて移動させる処理水落下工程と、処理水落下工程で落下移動する処理水を衝突部材に衝突させる処理水衝突工程と、を備えたことを特徴とする。
【００１４】
この嫌気性処理方法では、嫌気性処理槽から排出される処理水が処理水搬送路を通じて汚泥分離槽に送られ、汚泥分離槽では処理水に含まれるグラニュール汚泥が分離されて嫌気性処理槽に返送される。ここで、処理水落下工程及び処理水衝突工程では、処理水搬送路内で処理水を落下させて移動させ、衝突部材に衝突させる。従って、処理水落下工程において、処理水搬送路内でのグラニュール汚泥の落下距離を長く設定することができる。従って、衝突部材に衝突するグラニュール汚泥に対し強い衝撃を与え、グラニュール汚泥を破砕することができる。そうすると、グラニュール汚泥の表面に付着した気泡ばかりでなく、内包した気泡もグラニュール汚泥から脱離させることができる。よって、気泡が十分に除去され沈降性が回復したグラニュール汚泥が、汚泥分離槽を経由して嫌気性処理槽に返送される。その結果、嫌気性処理槽内のグラニュール汚泥の沈降性が高く維持され、グラニュール汚泥の流出を十分に抑制することができる。
【発明の効果】
【００１５】
本発明によれば、グラニュール汚泥の流出を十分に抑制することができる嫌気性処理システム及び嫌気性処理方法を提供することができる。
【図面の簡単な説明】
【００１６】
【図１】本発明の第１実施形態に係る嫌気性処理システムを示す図である。
【図２】図１の嫌気性処理システムにおける沈殿槽近傍を拡大して示す図である。
【図３】図１の嫌気性処理システムにおける酸生成槽の上部近傍を拡大して示す図である。
【図４】（ａ），（ｂ）は、図１の嫌気性処理システムにおける衝突部材の変形例を示す図である。
【発明を実施するための形態】
【００１７】
以下、図面を参照しながら本発明の好適な実施形態を説明する。なお、以下の説明においては、同一の要素には同一の符号を用いることとし、重複する説明は省略する。
【００１８】
（第１実施形態）
図１は、本発明の第１実施形態に係る嫌気性処理システムの構成を示す概略図である。嫌気性処理システム１は、原水流入管Ｌ１を通ってきた有機性廃水を受け入れる調整槽９と、その後段の酸生成槽１１と、更にその後段の嫌気性処理槽１２と、更にその後段の沈殿槽７と、を備えている。
【００１９】
調整槽（前段処理槽）９は、後段に送出する有機性廃水の流量調整処理を行う槽である。調整槽９からは、送水管Ｌ２を通じて酸生成槽１１に所定の流量で有機性廃水が送られる。酸生成槽（前段処理槽）１１は、酸生成菌により有機性廃水に含まれる有機物を酢酸等に分解する。また、酸生成槽１１において、中和剤としてアルカリ剤（例えば、水酸化ナトリウム）を添加することも好ましい。酸生成槽１１には、送水管Ｌ３が接続されており、当該送水管Ｌ３に設けられたポンプＰ３によって、酸生成槽１１内の有機性廃水が上向流式嫌気性処理槽１２に流入するようになっている。
【００２０】
嫌気性処理槽１２は、ＥＧＳＢ（Expanded  Granular  Sludge  Bed）反応槽などと呼ばれるタイプの水処理槽である。嫌気性処理槽１２の下部には、流入部１３が設けられている。流入部１３は、送水管Ｌ３に連絡しており有機性廃水Ｗを嫌気性処理槽１２内に流入させる。流入部１３は、例えば、長手方向に均一に穴部が設けられた送水管である。嫌気性処理槽１２内には、嫌気性汚泥が粒状化してなるグラニュール汚泥が収納されている。有機性廃水Ｗは、グラニュール汚泥に接触することにより、グラニュール汚泥中の嫌気性菌によって嫌気性処理される。このようなグラニュール汚泥が、有機性廃水中で下部に沈降して溜まることにより、嫌気性処理槽１２の下部にはグラニュール汚泥層１４が形成されている。
【００２１】
嫌気性処理槽１２では、その下部に設けられた流入部１３から有機性廃水Ｗを内部に導入することによって上向きの流動を生じさせ、グラニュール汚泥層１４に有機性廃水Ｗを通して、有機性廃水Ｗを嫌気性処理する。グラニュール汚泥層１４の上部には、当該グラニュール汚泥層１４を通過し嫌気性処理を経た有機性廃水Ｗの液層が形成されている。この液層の有機性廃水Ｗには、グラニュール汚泥層１４から浮上した浮上グラニュール汚泥や、嫌気性処理によって発生したバイオガス（例えば、メタンガス）が含まれている。なお、浮上グラニュール汚泥は、グラニュール汚泥が浮いたものであり、例えば、グラニュール汚泥にガスが付着したり、ガスが内包されたりなどしたものである。
【００２２】
嫌気性処理槽１２の上部には、有機性廃水Ｗと浮上グラニュール汚泥とバイオガスとを分離するための三相分離部１８が配置されている。
【００２３】
三相分離部１８の下端部には、有機性廃水Ｗを三相分離部１８の内部に導入する導入口１８ａが形成されている。この導入口１８ａに有機性廃水Ｗを導くために、三相分離部１８の下方であって導入口１８ａの周囲には、三相分離部１８の底部に沿って設置された導入板１９が設けられている。また、導入板１９には、導入口１８ａに導入されなかった有機性廃水Ｗを下側に返送するための返送口１９ａが形成されている。また、導入板１９の更に下方には、導入板１９の返送口１９ａを通って返送される有機性廃水Ｗの流れを整えるための整流板２０が設けられている。
【００２４】
有機性廃水Ｗは、上記グラニュール汚泥層１４を通過し上向きに流動し、導入板１９によって導入板１９と三相分離部１８との間に形成された導入路に外側から流入する。上記導入路を通った有機性廃水Ｗの一部は、導入口１８ａから三相分離部１８内に流入し、他の部分は、導入板１９の返送口１９ａから下側に流れるようになっている。
【００２５】
三相分離部１８内に流入した有機性廃水Ｗは、三相分離部１８の側壁１８ｂから外側に溢れ、処理水として処理水排出部２３に集められる。側壁１８ｂの上端の高さに、有機性廃水Ｗの液面Ｈが形成される。処理水排出部２３の処理水の一部は、循環水返送ラインＬ４を通じて酸生成槽１１に循環水として返送される。処理水排出部２３の処理水の残部は、処理水搬送ラインＬ５を通じて沈殿槽７に送られる。三相分離部１８において、三相分離部１８の側壁１８ｂの内側には、導入口１８ａから流入した有機性廃水Ｗが直接処理水排出部２３に流入しないようにするための隔壁２４が設けられている。
【００２６】
また、嫌気性処理槽１２内で、液面Ｈよりも上方の閉鎖空間には、前述のバイオガスが一時的に貯留される。この液面Ｈよりも上方の閉鎖空間を、以下、ガス貯留空間３１と呼ぶ。これに対し、液面Ｈ下の有機性廃水Ｗが貯留された空間を、以下、嫌気性処理空間３３と呼ぶ。
【００２７】
嫌気性処理槽１２では、嫌気性処理空間３３で有機性廃水Ｗの嫌気性処理が行われ、バイオガスが発生する。当該バイオガスが浮上し液面Ｈまで到達することで、ガス貯留空間３１にバイオガスが一時的に貯留される。ガス貯留空間３１のバイオガスは、ガス回収ラインＬ６を通じて外部に排出され有用なエネルギー源として回収される。ここで、ガス回収ラインＬ６上には、ポンプ（排気手段）Ｐ６が設けられている。ポンプＰ６の駆動により、ガス貯留空間３１を吸引排気して強制的にバイオガスを嫌気性処理槽１２外に排出させることもできる。
【００２８】
沈殿槽（汚泥分離槽）７には処理水Ｗ１が導入され、当該処理水Ｗ１に含まれるグラニュール汚泥が重力によって沈降分離される。沈殿槽７は、密封容器として形成されている。沈殿槽７の底部に沈降したグラニュール汚泥は、返送ラインＬ７を通じて嫌気性処理槽１２に導入される。沈殿槽７でグラニュール汚泥が取り除かれた処理水Ｗ１は、処理水ラインＬ８を通じて系外に排出される。
【００２９】
次に、図２を参照しながら、処理水搬送ラインＬ５について説明する。処理水搬送ラインＬ５は、嫌気性処理槽１２と沈殿槽７とを接続し、処理水Ｗ１を搬送する処理水搬送路として機能する。処理水搬送ラインＬ５は、処理水Ｗ１を落下させて移動させる処理水落下部５１と、処理水落下部５１の下方に設けられた処理水受け部５３と、を備えている。処理水落下部５１は、処理水搬送ラインＬ５を形成するパイプの一部であり、略鉛直に延びるパイプで構成されている。嫌気性処理槽１２から沈殿槽７へ送られる処理水Ｗ１は、処理水落下部５１を落下して移動する。
【００３０】
処理水受け部５３は、沈殿槽７の内部に設けられ、沈殿槽７における液面Ｈ１よりも上方の空間に位置する。処理水受け部５３は、処理水落下部５１の下端に取り付けられた筒状部５５と、筒状部５５の内部に設けられた衝突部材５７と、を有している。衝突部材５７は、処理水落下部５１からの処理水Ｗ１の落下軌道を横切るように設置されているので、処理水落下部５１を落下してきた処理水Ｗ１は、衝突部材５７に衝突する。衝突部材５７は、例えば金属製であり、網状をなしている。なお、処理水落下部５１における処理水Ｗ１の落下距離は、１〜１０ｍに設定されることが好ましい。
【００３１】
処理水Ｗ１に含まれているグラニュール汚泥は、処理水Ｗ１と一緒に処理水落下部５１を落下し、衝突部材５７に衝突することで、衝撃により破砕される。そうすると、当該グラニュール汚泥の表面に付着していたバイオガスの気泡や、グラニュール汚泥に内包されていたバイオガスの気泡が、グラニュール汚泥から脱離される。破砕されたグラニュール汚泥は、網状の衝突部材５７の目を抜けて、処理水Ｗ１と一緒に沈殿槽７の下部に落下する。その後、破砕されたグラニュール汚泥は、前述の通り沈殿槽７による沈降分離を経て、返送ラインＬ７を通じて嫌気性処理槽１２に返送される。
【００３２】
また、前述の通り沈殿槽７は密閉容器として形成されているので、グラニュール汚泥から脱離されたバイオガスは、沈殿槽７内の液面Ｈ１よりも上方のガス貯留空間５９に貯留される。沈殿槽７のガス貯留空間５９には、ガス回収ライン（ガス回収手段）Ｌ１２が接続されており、当該ガス回収ラインＬ１２を通じてガス貯留空間５９のバイオガスが回収される。
【００３３】
上述したような処理水落下部及び処理水受け部は、循環水返送ライン（循環水返送路）Ｌ４にも備えられている。すなわち、図３に示すように、循環水返送ラインＬ４は、嫌気性処理槽１２から送られた循環水としての処理水Ｗ１を落下させて移動させる循環水落下部６１と、落下してきた処理水Ｗ１を受ける処理水受け部６３とを備えている。循環水落下部６１及び処理水受け部６３の構成及び機能は、それぞれ、処理水搬送ラインＬ５が備える処理水落下部５１及び処理水受け部５３と同様であるので、同一構成要素に同一符号を付して重複する説明を省略する。なお、循環水落下部６１における処理水Ｗ１の落下距離は、１〜１０ｍに設定されることが好ましい。
【００３４】
処理水受け部６３は酸生成槽１１の内部に設置され、酸生成槽１１は密閉容器として形成されている。よって、処理水受け部６３の衝突部材（第２の衝突部材）６７に処理水Ｗ１が衝突することで、グラニュール汚泥から脱離したバイオガスは、酸生成槽１１内の液面Ｈ２よりも上方のガス貯留空間６９に貯留される。酸生成槽１１のガス貯留空間６９には、ガス回収ラインＬ１３が接続されており、当該ガス回収ラインＬ１３を通じてガス貯留空間６９のバイオガスが回収される。
【００３５】
続いて、上記嫌気性処理システム１による嫌気性処理方法について説明する。
【００３６】
（酸生成槽処理工程）
調整槽９で調整された流量で、酸生成槽１１に対し有機性廃水が導入されると、酸生成槽１１では、酸生成菌により有機性廃水に含まれる有機物が酢酸等に分解される。これにより酢酸等の有機酸を多く含む有機性廃水が、酸生成槽１１から嫌気性処理槽１２に送られる。
【００３７】
（嫌気性処理工程）
嫌気性処理槽１２の流入部１３から導入された有機性廃水Ｗは、嫌気性処理空間３３内を上向きに流動する。このとき、有機性廃水Ｗは、グラニュール汚泥層１４を通過しながらグラニュール汚泥に接触し、嫌気性処理される。
【００３８】
（処理水排出工程）
その後、液面Ｈまで到達した有機性廃水Ｗは、側壁１８ｂの上端を越えて処理水排出部２３に溢れ、処理水として処理水搬送ラインＬ５を通じて沈殿槽７に送られる。
【００３９】
（処理水落下工程）
処理水搬送ラインＬ５を移動する処理水Ｗ１は、処理水落下部５１を落下移動する。
【００４０】
（処理水衝突工程）
処理水落下部５１を落下してきた処理水Ｗ１は、衝突部材５７に衝突する。このとき、処理水Ｗ１に含まれていたグラニュール汚泥は、衝突部材５７への衝突の衝撃で破砕する。これにより、グラニュール汚泥に付着又は内包されていたバイオガスの気泡は、グラニュール汚泥から脱離し、ガス貯留空間５９を経由して、ガス回収ラインＬ１２から外部に回収される。
【００４１】
（汚泥分離工程）
衝突部材５７に衝突した後の処理水Ｗ１は、破砕したグラニュール汚泥と一緒に、沈殿槽７の下部に移動する。その後、処理水Ｗ１中に含まれるグラニュール汚泥は、沈降分離され、ラインＬ７を通じて嫌気性処理槽１２に返送される。グラニュール汚泥が除去された処理水は、ラインＬ８を通じて系外に排出される。なお、ラインＬ８を通じて排出された処理水には、後段で更なる所定の水処理が施される。
【００４２】
（第２の落下工程、第２の衝突工程）
循環水返送ラインＬ４に排出された処理水Ｗ１は、循環水落下部６１を落下移動して、衝突部材６７に衝突する。このとき、処理水Ｗ１に含まれていたグラニュール汚泥は、衝突部材６７への衝突の衝撃で破砕する。これにより、グラニュール汚泥に付着又は内包されていたバイオガスの気泡は、グラニュール汚泥から脱離し、ガス貯留空間６９を経由して、ガス回収ラインＬ１３から外部に回収される。衝突部材６７に衝突した後の処理水Ｗ１は、破砕したグラニュール汚泥と一緒に、酸生成槽１１の下部に移動し、循環水となる。
【００４３】
続いて、以上説明した嫌気性処理システム１及び嫌気性処理方法による作用効果について説明する。
【００４４】
この嫌気性処理システム１では、嫌気性処理槽１２から排出される処理水Ｗ１が処理水搬送ラインＬ５を通じて沈殿槽７に送られ、沈殿槽７では処理水Ｗ１に含まれるグラニュール汚泥が分離されて嫌気性処理槽１２に返送される。ここで、処理水搬送ラインＬ５を移動する処理水Ｗ１は、処理水落下部５１を落下移動し衝突部材５７に衝突する。ここで、処理水搬送ラインＬ５は、嫌気性処理槽１２の外で当該嫌気性処理槽１２と沈殿槽７とを接続するように設けられているので、処理水落下部５１を長く設定し処理水Ｗ１及びグラニュール汚泥の落下距離を長く設定することができる。従って、衝突部材５７に衝突するグラニュール汚泥に対し強い衝撃を与え、グラニュール汚泥を破砕することができる。
【００４５】
グラニュール汚泥が破砕されると、グラニュール汚泥の表面に付着した気泡ばかりでなく、内包した気泡もグラニュール汚泥から脱離させることができる。よって、気泡が十分に除去され沈降性が回復したグラニュール汚泥が、沈殿槽７を経由して嫌気性処理槽１２に返送される。その結果、嫌気性処理槽１２内のグラニュール汚泥の沈降性が高く維持され、グラニュール汚泥の流出を十分に抑制することができる。また、グラニュール汚泥を重力で落下させ破砕するので、グラニュール汚泥を破砕するための動力を別途設ける必要がない。
【００４６】
また、処理水受け部５３及び衝突部材５７は、沈殿槽７の内部に設けられている。この構成により、グラニュール汚泥から脱離したバイオガスの気泡が、密閉容器である沈殿槽７のガス貯留空間５９に溜まるので、バイオガスの回収が容易である。すなわち、沈殿槽７のガス貯留空間５９にガス回収ラインＬ１２を接続することで、容易にバイオガスを回収することができる。
【００４７】
また、衝突部材５７が網状の部材であれば、処理水Ｗ１中のグラニュール汚泥を衝突させ衝撃力を与えると共に、衝突後の処理水Ｗ１及びグラニュール汚泥を円滑に通過させ沈殿槽７の下部に送ることができる。
【００４８】
また、循環水返送ラインＬ４にも循環水落下部６１と処理水受け部６３とが設けられているので、処理水Ｗ１に含まれるグラニュール汚泥が、衝突部材６７によっても破砕され、沈降性を回復したグラニュール汚泥が、酸生成槽を経由して嫌気性処理槽に再び導入される。
【００４９】
以上、本発明の実施形態について説明したが、本発明は、上記実施形態に限られるものではなく、各請求項に記載した要旨を変更しない範囲で変形したものであってもよい。例えば、実施形態では、循環水返送ラインＬ４にも、処理水Ｗ１（循環水）を落下させる循環水落下部６１と、処理水Ｗ１を衝突させる衝突部材６７とを設けているが、これらは省略してもよい。また、実施形態では、衝突部材５７，６７は網状の部材であったが、これに代えてパンチングメタルを採用してもよい。また、図４（ａ）に示すように、傾斜した平板状の複数の邪魔板２５７を、衝突部材として処理水受け部５３に設けてもよい。また、また、図４（ｂ）に示すように、上面に凹凸部を有する複数の邪魔板３５７を、衝突部材として処理水受け部５３に設けてもよい。
【符号の説明】
【００５０】
１…嫌気性処理システム、７…沈殿槽（汚泥分離槽）、１１…酸生成槽（前段処理槽）、１２…嫌気性処理槽、５１…処理水落下部、５７…衝突部材、６１…循環水落下部、６７…第２の衝突部材、Ｌ４…循環水返送ライン（循環水返送路）、Ｌ５…処理水搬送ライン（処理水搬送路）、Ｗ…有機性廃水、Ｗ１…処理水。
【図１】
2013220410.tif 000003
【図２】
2013220410.tif 000004
【図３】
2013220410.tif 000005
【図４】
2013220410.tif 000006